(57)【要約】  フレームと、羽根を装着しているモータと、螺旋筐体と、螺旋筐体の吐出口に設けられ、換気扇本体の吐出口を切り換える風路切換え板および加熱装置と、上記の羽根付きのモータ、風路切換え板および加熱装置を運行させる制御回路手段とを含む浴室用暖房換気扇であって、風路切換え板と加熱装置は、換気扇本体の高さ方向に分離し、重ねるように設置され、羽根中心と螺旋筐体の舌部は、本体の中心線から逸脱し、同じ側に位置し、且つ、本体の中心線、風路切換え板の中心線、加熱装置の中心線は、水平で一致になるように設け、重ねる。  これにより、風路が平滑で、熱効率の高い、小型化の浴室用暖房換気扇を形成する。
2013524160.tif 000002
【特許請求の範囲】
【請求項１】
フレームと、羽根を装着しているモータと、ケーシングと、ケーシングの吐出口に設けられ、換気扇本体の吐出口を切り換える風路切換え板および加熱装置と、上記の羽根付きのモータ、風路切換え板および加熱装置を運行させる制御回路手段とを含む浴室用暖房換気扇であって、
風路切換え板と加熱装置は、換気扇本体の高さ方向に分離し、重ねるように設置され、
羽根中心とケーシングの舌部は、本体の中心線から逸脱し、同じ側に位置し、且つ、
本体の中心線、風路切換え板の中心線、加熱装置の中心線は、水平で一致になるように設け、重ねる、ことを特徴する浴室用暖房換気扇。
【請求項２】
請求項１に記載の浴室用暖房換気扇において、
ケーシングの舌部の屈曲角は、角度が３０度以下であることを特徴とする浴室用暖房換気扇。
【請求項３】
請求項１に記載の浴室用暖房換気扇において、
風路切換え板の風道長さ方向における長さと、加熱装置の長さ方向における長さとが等しいことを特徴とする浴室用暖房換気扇。
【請求項４】
請求項１〜３のいずれか一項に記載の浴室用暖房換気扇において、
制御回路手段は、反舌部側の風路外側側面部に設置されることを特徴とする浴室用暖房換気扇。
【発明の詳細な説明】
【技術分野】
【０００１】
本発明は換気扇に関し、特に、浴室用暖房換気扇に関する。
【背景技術】
【０００２】
図１に示すように、フレーム１１０と、羽根１２０を装着しているモータ１３０と、モータ１３０を覆うケーシング１４０と、加熱装置（図示せず）と、風路切換え板１６０と、制御回路手段１７０などを含み、風路切換え板１６０の回転によって暖房換気扇１００の暖房、換気および乾燥機能を実現する、公知の浴室用暖房換気扇１００である。
【０００３】
図に示すように、通常の場合に、フレーム１１０は長方形に設置されており、つまり、換気扇１００は、室内空気吸込口から室内暖風吐出口１８０までの方向が長さ方向であるように設置されている。また、室内暖風吐出口１８０と、屋外へ空気を排気するための排気吐出口１８１との２つの吐出口が設けられている。
【０００４】
２つの吐出口へ排気することを実現するために、羽根１２０を装着しているモータ１３０の吐出口１３１に、風路切換え板１６０を用いて風路を切り換える。それに、室内暖風吐出口１８０側の風路に加熱装置が設けられる。
【０００５】
図２に示すように、赤外線電球で赤外放射を射出して暖房を実現する、もう１つの種類の公知の浴室用暖房装置１９０であり、このような暖房装置は、循環空気機能を有しない。これらの暖房装置は、正方形の本体上に下に向かって４つの電球を配列する。上記の送風機を設けることによって空気を循環する浴室用暖房換気扇１００と比べると、浴室用暖房装置１９０は、小さくて精巧である。
【０００６】
したがって、浴室循環空気機能を有する浴室用暖房換気扇１００を上記浴室用暖房装置１９０を基に設計された浴室内に取り付けるために，フレーム１１０が浴室用暖房装置１９０と同じ形状に設計される必要がある。
【発明の概要】
【発明が解決しようとする課題】
【０００７】
本発明は、上記の課題を解決するために、室内空気吸込口から室内暖風吐出口までの距離を短くしても暖風が円滑に吹かれ、熱効率の高い浴室用暖房換気扇を提供する。
【課題を解決するための手段】
【０００８】
上記目的を実現するために、本発明は、フレームと、羽根を装着しているモータと、ケーシングと、ケーシングの吐出口に設けられ、換気扇本体の吐出口を切り換える風路切換え板および加熱装置と、上記の羽根付きのモータ、風路切換え板および加熱装置を運行させる制御回路手段とを含む浴室用暖房換気扇であって、風路切換え板と加熱装置は、換気扇本体の高さ方向に分離し、重ねるように設置され、羽根中心とケーシングの舌部は、本体の中心線から逸脱し、同じ側に位置し、且つ、本体の中心線、風路切換え板の中心線、加熱装置の中心線は、水平で一致になるように設け、重ねる、ことを特徴する浴室用暖房換気扇を提供する。
【０００９】
前記の浴室用暖房換気扇においては、螺旋筐体の舌部の屈曲角は、角度が３０度以下である。
【００１０】
前記の浴室用暖房換気扇においては、風路切換え板の風道長さ方向における長さと、加熱装置の長さ方向における長さとが等しい。
【００１１】
前記の浴室用暖房換気扇においては、制御回路手段は、反舌部側の風路外側側面部に設置される。
【図面の簡単な説明】
【００１２】
【図１】公知の浴室用暖房換気扇の概念図
【図２】同他の浴室用暖房換気扇の概念図
【図３】本発明の浴室用暖房換気扇の全体の断面概念図
【図４】同浴室用暖房換気扇の加熱装置と風路切換え板の位置の概念図
【発明を実施するための形態】
【００１３】
図３は、本発明の浴室用暖房換気扇の全体の断面概念図である。この図は、製品をヘッドアップする時の概念図である。
【００１４】
浴室用暖房換気扇２００は、フレーム２１０と、羽根２２０を装着しているモータ２３０と、モータ２３０を覆うケーシング２４０と、ケーシング２４０の吐出口２４３に設けられ、本体の吐出口を切り換える風路切換え板２６０および上記風路切換え板２６０により切り換えられる風路のうち１つ方向の風路に設けられる加熱装置２５０と、上記モータ２３０、風路切換え板２６０および加熱装置２５０を運行させる制御回路手段２７０とを含む。
【００１５】
図４は、本発明の加熱装置と風路切換え板の位置の概念図である。風路切換え板２６０と加熱装置２５０は、本体の高さ方向に分離し、重ねるように設置されている。
【００１６】
図３に戻し、羽根中心３００とケーシング２４０の舌部２４１は、本体の中心線４００から逸脱し、同じ側に位置するように設置されており、且つ、本体の中心線４００、風路切換え板２６０の中心線、加熱装置２５０の中心線は、水平で一致になるように設け、重ねる。前記の本体の中心線４００とは、フレーム２１０本体の外輪郭の中心線である。
【００１７】
羽根中心３００とケーシングの舌部２４１が本体の中心線４００から逸脱し、同じ側に位置するように設置されているので、舌部２４１とケーシング２４０の吐出口２４３の頂部２４２との間の距離Ｌ１は、より長く設計され得るし、舌部２４１の末端２４４と風路切換え板２６０の端部２６１との間の距離Ｌ３は、より短く設計され得る。つまり、風路切換え板２６０をケーシング２４０の吐出口２４３と対応すれば、風路切換え板２６０の上記Ｌ１に対応する長さは、大きい割合を占める一方、風路切換え板２６０の、Ｌ１に対応する長さを除き、残りの長さＬ２は、小さい割合を占める。ケーシング２４０の吐出口２４３と風路切換え板２６０を大きくし、舌部２４１の下側領域の風量と上側領域の風量を均一化する効果が実現できる。
【００１８】
さらに、本体の中心線４００、風路切換え板２６０の中心線、加熱装置２５０の中心線が水平で一致になり、且つ重ねているので、風路切換え板２６０と加熱装置２５０は、フレーム２１０本体の中心に位置することができる、つまり、風路切換え板２６０と加熱装置２５０は、フレーム２１０本体の中心から両端へ最大限に拡張することができる。それに、風路切換え板２６０と加熱装置２５０が共に形成した、本体の中心から両端へ延長する断面が長方形である風道において、風路切換え板２６０の風道長さ方向における長さ、と加熱装置２５０の長さ方向における長さとが等しいので、ケーシング２４０の吐出口２４３からの風は、風路切換え板２６０の風道を経過した後、圧縮または拡大されずにそのまま加熱装置２５０を通り、風速の均一の効果が実現できる。以上の構造により、フレーム２１０がおおよそ正方形の製品に設けられ、フレーム２１０の吐出口のアダプター２４６がフレーム２１０の外側の中心に設置されてもよい。そうすれば、フレーム２１０が正方形に設けられ、従来の技術による浴室用暖房換気扇１００を基に設計された浴室であっても、容易に取り付けられる。実際の施工の現場に応じて、それぞれ９０度にて正方形のフレームを回転し、４つの方向で排気施工できるように実現してもよい。したがって、室内空気吸込口と室内暖風吐出口との間の距離を短くしても、風路の平滑が保持できるし、熱効率を確保できる。
【００１９】
図３に示すように、ケーシング２４０の舌部２４１の屈曲角βは、角度が３０度以下である。前記の舌部２４１の屈曲角βとは、製品をヘッドアップする時、舌部風路壁と風路切換え板２６０の端部２６１との間の風路壁と、本体に垂直な縦の直線２４５と成す角度である。以上の構造により、ケーシング２４０の吐出口２４３が羽根中心３００からの距離が小さくなり、フレーム２１０の内部空間を十分に利用できる効果が得られるとともに、製品全体の構成をより小型化し、取り付け易くなる。製品の装着性が向上する。
【００２０】
制御回路手段２７０は、反舌部側の風路外側の側面部に設置される。舌部側および反舌部側とは、羽根２２０の横方向の中心線３１０が換気扇本体を２つの部分に分け、舌部２４１が設けられている側が舌部側３１１であり、舌部２４１が設けられてない側が反舌部側３１２である。以上の構造により、制御回路手段２７０と風路切換え板２６０をＬ字形になって反舌部側３１２の風路外側側面部に設置する。そうすれば、風路切換え板２６０の装着位置が、ケーシング２４０の舌部２４１下側の空間を利用でき、風路切換え板２６０と加熱装置２５０の装着位置を一致させる。且つ、制御回路手段２７０側には、加熱装置２５０のワイヤ伸出部と風路切換え板２６０の制御電動機や、無線信号受信機などの作動装置が設けられ、制御回路手段２７０側に作動装置が設置されることによってワイヤが短くされ、コストが削減し、組み立て易くなり、且つ製品全体の構成がより小型化され、装着し易くなる。
【図１】
2013524160.tif 000003
【図２】
2013524160.tif 000004
【図３】
2013524160.tif 000005
【図４】
2013524160.tif 000006
【手続補正書】
【提出日】平成24年10月10日(2012.10.10)
【手続補正１】
【補正対象書類名】明細書
【補正対象項目名】全文
【補正方法】変更
【補正の内容】
【発明の詳細な説明】
【技術分野】
【０００１】
本発明は換気扇に関し、特に、浴室用暖房換気扇に関する。
【背景技術】
【０００２】
図１に示すように、フレーム１１０と、羽根１２０を装着しているモータ１３０と、モータ１３０を覆うケーシング１４０と、加熱装置（図示せず）と、風路切換え板１６０と、制御回路手段１７０などを含み、風路切換え板１６０の回転によって暖房換気扇１００の暖房、換気および乾燥機能を実現する、従来の浴室用暖房換気扇１００である。
【０００３】
図に示すように、通常の場合に、フレーム１１０は長方形に設置されており、つまり、換気扇１００は、室内空気吸込口から室内暖風吐出口１８０までの方向が長さ方向であるように設置されている。また、室内暖風吐出口１８０と、屋外へ空気を排気するための排気吐出口１８１との２つの吐出口が設けられている。
【０００４】
２つの吐出口へ排気することを実現するために、羽根１２０を装着しているモータ１３０の吐出口１３１に、風路切換え板１６０を用いて風路を切り換える。それに、室内暖風吐出口１８０側の風路に加熱装置が設けられる。
【０００５】
図２に示すように、赤外線電球で赤外放射を射出して暖房を実現する、もう１つの種類の従来の浴室用暖房装置１９０であり、このような暖房装置は、循環空気機能を有しない。これらの暖房装置は、正方形の本体上に下に向かって４つの電球を配列する。上記の送風機を設けることによって空気を循環する浴室用暖房換気扇１００と比べると、浴室用暖房装置１９０は、小さくて精巧である（特許文献１参照。）。
【０００６】
したがって、浴室循環空気機能を有する浴室用暖房換気扇１００を上記浴室用暖房装置１９０を基に設計された浴室内に取り付けるために，フレーム１１０が浴室用暖房装置１９０と同じ形状に設計される必要がある。
【先行技術文献】
【特許文献】
【０００７】
【特許文献１】中国実用新案公告第２０１０２８６８８号明細書
【発明の概要】
【発明が解決しようとする課題】
【０００８】
このような従来の浴室用暖房換気扇においては、室内空気吸込口から室内暖風吐出口までの距離を短くした場合、暖風が円滑に吹かれず、熱効率が高くない、という課題があった。
【０００９】
本発明は、上記の課題を解決するために、室内空気吸込口から室内暖風吐出口までの距離を短くしても暖風が円滑に吹かれ、熱効率の高い浴室用暖房換気扇を提供する。
【課題を解決するための手段】
【００１０】
上記目的を実現するために、本発明は、フレームと、羽根を装着しているモータと、ケーシングと、ケーシングの吐出口に設けられ、換気扇本体の吐出口を切り換える風路切換え板および加熱装置と、上記の羽根付きのモータ、風路切換え板および加熱装置を運行させる制御回路手段とを含む浴室用暖房換気扇であって、風路切換え板と加熱装置は、換気扇本体の高さ方向に分離し、重ねるように設置され、羽根中心とケーシングの舌部は、本体の中心線から逸脱し、同じ側に位置し、且つ、本体の中心線、風路切換え板の中心線、加熱装置の中心線は、水平で一致になるように設け、重ねる、ことを特徴する浴室用暖房換気扇を提供する。
【発明の効果】
【００１１】
本発明によれば、フレームと、羽根を装着しているモータと、ケーシングと、ケーシングの吐出口に設けられ、換気扇本体の吐出口を切り換える風路切換え板および加熱装置と、上記の羽根付きのモータ、風路切換え板および加熱装置を運行させる制御回路手段とを含む浴室用暖房換気扇であって、風路切換え板と加熱装置は、換気扇本体の高さ方向に分離し、重ねるように設置され、羽根中心とケーシングの舌部は、本体の中心線から逸脱し、同じ側に位置し、且つ、本体の中心線、風路切換え板の中心線、加熱装置の中心線は、水平で一致になるように設け、重ねることにしたことにより、室内空気吸込口から室内暖風吐出口までの距離を短くしても暖風が円滑に吹かれ、熱効率を高くすることができる。
【図面の簡単な説明】
【００１２】
【図１】従来の浴室用暖房換気扇の断面構成図
【図２】同他の浴室用暖房換気扇の斜視図
【図３】本発明の浴室用暖房換気扇の底面断面構成図
【図４】同浴室用暖房換気扇の加熱装置と風路切換え板の位置を示す側断面構成図
【発明を実施するための形態】
【００１３】
図３は、本発明の浴室用暖房換気扇の底面断面構成図である。この図は、製品をヘッドアップする時の底面断面構成図である。
【００１４】
浴室用暖房換気扇２００は、フレーム２１０と、羽根２２０を装着しているモータ２３０と、モータ２３０を覆うケーシング２４０と、ケーシング２４０の吐出口２４３に設けられ、本体の吐出口を切り換える風路切換え板２６０および上記風路切換え板２６０により切り換えられる風路のうち１つ方向の風路に設けられる加熱装置２５０と、上記モータ２３０、風路切換え板２６０および加熱装置２５０を運行させる制御回路手段２７０とを含む。
【００１５】
図４は、本発明の加熱装置と風路切換え板の位置を示す側断面構成図である。風路切換え板２６０と加熱装置２５０は、本体の高さ方向に分離し、重ねるように設置されている。
【００１６】
図３に戻し、羽根中心３００とケーシング２４０の舌部２４１は、本体の中心線４００から逸脱し、同じ側に位置するように設置されており、且つ、本体の中心線４００、風路切換え板２６０の中心線、加熱装置２５０の中心線は、水平で一致になるように設け、重ねる。前記の本体の中心線４００とは、フレーム２１０本体の外輪郭の中心線である。
【００１７】
羽根中心３００とケーシングの舌部２４１が本体の中心線４００から逸脱し、同じ側に位置するように設置されているので、舌部２４１とケーシング２４０の吐出口２４３の頂部２４２との間の距離Ｌ１は、より長く設計され得るし、舌部２４１の末端２４４と風路切換え板２６０の端部２６１との間の距離Ｌ３は、より短く設計され得る。つまり、風路切換え板２６０をケーシング２４０の吐出口２４３と対応すれば、風路切換え板２６０の上記Ｌ１に対応する長さは、大きい割合を占める一方、風路切換え板２６０の、Ｌ１に対応する長さを除き、残りの長さＬ２は、小さい割合を占める。ケーシング２４０の吐出口２４３と風路切換え板２６０を大きくし、舌部２４１の下側領域の風量と上側領域の風量を均一化する効果が実現できる。
【００１８】
さらに、本体の中心線４００、風路切換え板２６０の中心線、加熱装置２５０の中心線が水平で一致になり、且つ重ねているので、風路切換え板２６０と加熱装置２５０は、フレーム２１０本体の中心に位置することができる、つまり、風路切換え板２６０と加熱装置２５０は、フレーム２１０本体の中心から両端へ最大限に拡張することができる。それに、風路切換え板２６０と加熱装置２５０が共に形成した、本体の中心から両端へ延長する断面が長方形である風道において、風路切換え板２６０の風道長さ方向における長さ、と加熱装置２５０の長さ方向における長さとが等しいので、ケーシング２４０の吐出口２４３からの風は、風路切換え板２６０の風道を経過した後、圧縮または拡大されずにそのまま加熱装置２５０を通り、風速の均一の効果が実現できる。以上の構造により、フレーム２１０がおおよそ正方形の製品に設けられ、フレーム２１０の吐出口のアダプター２４６がフレーム２１０の外側の中心に設置されてもよい。そうすれば、フレーム２１０が正方形に設けられ、従来の技術による浴室用暖房換気扇１００を基に設計された浴室であっても、容易に取り付けられる。実際の施工の現場に応じて、それぞれ９０度にて正方形のフレームを回転し、４つの方向で排気施工できるように実現してもよい。したがって、室内空気吸込口と室内暖風吐出口との間の距離を短くしても、風路の平滑が保持できるし、熱効率を確保できる。
【００１９】
図３に示すように、ケーシング２４０の舌部２４１の屈曲角βは、角度が３０度以下である。前記の舌部２４１の屈曲角βとは、製品をヘッドアップする時、舌部風路壁と風路切換え板２６０の端部２６１との間の風路壁と、本体に垂直な縦の直線２４５と成す角度である。以上の構造により、ケーシング２４０の吐出口２４３が羽根中心３００からの距離が小さくなり、フレーム２１０の内部空間を十分に利用できる効果が得られるとともに、製品全体の構成をより小型化し、取り付け易くなる。製品の装着性が向上する。
【００２０】
制御回路手段２７０は、反舌部側の風路外側の側面部に設置される。舌部側および反舌部側とは、羽根２２０の横方向の中心線３１０が換気扇本体を２つの部分に分け、舌部２４１が設けられている側が舌部側３１１であり、舌部２４１が設けられてない側が反舌部側３１２である。以上の構造により、制御回路手段２７０と風路切換え板２６０をＬ字形になって反舌部側３１２の風路外側側面部に設置する。そうすれば、風路切換え板２６０の装着位置が、ケーシング２４０の舌部２４１下側の空間を利用でき、風路切換え板２６０と加熱装置２５０の装着位置を一致させる。且つ、制御回路手段２７０側には、加熱装置２５０のワイヤ伸出部と風路切換え板２６０の制御電動機や、無線信号受信機などの作動装置が設けられ、制御回路手段２７０側に作動装置が設置されることによってワイヤが短くされ、コストが削減し、組み立て易くなり、且つ製品全体の構成がより小型化され、装着し易くなる。
【産業上の利用可能性】
【００２１】
本発明にかかる浴室用暖房換気扇は、室内空気吸込口から室内暖風吐出口までの距離を短くしても暖風が円滑に吹かれ、熱効率を高くすることができるものであり、浴室用のみならず居室・非居室用の換気装置等にも適用することができる。
【符号の説明】
【００２２】
２００  浴室用暖房換気扇
２１０  フレーム
２２０  羽根
２３０  モータ
２４０  ケーシング
２４１  舌部
２４２  頂部
２４３  吐出口
２４４  末端
２４５  直線
２４６  アダプター
２５０  加熱装置
２６０  風路切換え板
２６１  端部
２７０  制御回路手段
３００  羽根中心
３１０  中心線
３１１  舌部側
３１２  反舌部側
４００  本体の中心線
【手続補正２】
【補正対象書類名】図面
【補正対象項目名】全図
【補正方法】変更
【補正の内容】
【図１】
2013524160.tif 000007
【図２】
2013524160.tif 000008
【図３】
2013524160.tif 000009
【図４】
2013524160.tif 000010
【国際調査報告】
2013524160.tif 000011
2013524160.tif 000012
2013524160.tif 000013
2013524160.tif 000014